(57)【要約】【課題】特別な操作なしにユーザに印刷ジョブに関する情報を通知すると共にユーザが自分の印刷物を効率的に見つけられるようにする。【解決手段】非接触式ＩＣカードから個人ＩＤなどの情報が乗せられた電磁波を受信し（Ｓ１００）、印刷ジョブ記憶領域に受信した個人ＩＤを依頼者ＩＤとする印刷ジョブに関する情報が記憶されている場合には、該当する印刷ジョブや先行する印刷ジョブに関する情報を取得すると共に実行完了予定時間の見積もりを行ない（Ｓ１２０，Ｓ１３０）、これらの情報を操作パネルの画面上に表示出力すると共に内蔵するスピーカにより音声出力する（Ｓ１４０）。この結果、特別な操作なしにユーザに印刷ジョブに関する情報を通知すると共にユーザが自分の印刷物を効率的に見つけられるようにすることができる。【選択図】        図５
2004351885.tif 000002
【特許請求の範囲】
【請求項１】
受け付けた印刷ジョブを実行して紙などの媒体に画像を形成する画像形成装置であって、
受け付けた印刷ジョブに関する情報として少なくとも該印刷ジョブの依頼者に関する情報を含む情報を記憶するジョブ情報記憶手段と、
所定のエリアに所定の周波数帯の電磁波を送信する電磁波送信手段と、
前記所定の周波数帯の電磁波の送受信による情報のやり取りが可能であり前記所定のエリアに存在する情報送受信機器から前記電磁波送信手段により送信された電磁波の受信に伴なって送信される該情報送受信機器の所持者に関する情報を受信する情報受信手段と、
該情報受信手段により前記情報送受信機器の所持者に関する情報を受信したときに、該受信した所持者に関する情報と前記ジョブ情報記憶手段により記憶された情報とに基づいて該所持者の依頼に係る印刷ジョブに関する情報を出力する情報出力手段と、
を備える画像形成装置。
【請求項２】
前記情報出力手段は、前記ジョブ情報記憶手段により記憶された情報の中から前記情報送受信機器の所持者を依頼者とする印刷ジョブに関する情報を判別し、該判別された印刷ジョブに関する情報に基づいて該所持者の依頼に係る印刷ジョブに関する情報を出力する手段である請求項１記載の画像形成装置。
【請求項３】
前記情報出力手段は、前記所持者の依頼に係る印刷ジョブに関する情報の一つとして該印刷ジョブのステータスを出力する手段である請求項１または２記載の画像形成装置。
【請求項４】
前記情報出力手段は、前記所持者の依頼に係る印刷ジョブのうち待機中または実行中の印刷ジョブに関する情報を出力する手段である請求項１ないし３いずれか記載の画像形成装置。
【請求項５】
前記情報出力手段は、前記所持者の依頼に係る印刷ジョブに関する情報の一つとして該印刷ジョブの実行が完了する実行完了予定時間を出力する手段である請求項４記載の画像形成装置。
【請求項６】
前記情報出力手段は、前記所持者の依頼に係る印刷ジョブに関する情報の一つとして該印刷ジョブより先に実行予定の先行印刷ジョブに関する情報を出力する手段である請求項４または５記載の画像形成装置。
【請求項７】
前記先行印刷ジョブに関する情報は、前記先行印刷ジョブのジョブ数，前記先行印刷ジョブのページ数，前記先行印刷ジョブの依頼者に関する情報のうちいずれかを含む情報である請求項６記載の画像形成装置。
【請求項８】
前記情報出力手段は、前記所持者の依頼に係る印刷ジョブのうち実行が完了すると共に完了してからの経過時間が所定時間以内である印刷ジョブに関する情報を出力する手段である請求項１ないし７いずれか記載の画像形成装置。
【請求項９】
前記情報出力手段は、前記所持者の依頼に係る印刷ジョブに関する情報の一つとして該印刷ジョブの排紙先に関する情報を出力する手段である請求項８記載の画像形成装置。
【請求項１０】
前記情報出力手段は、前記所持者の依頼に係る印刷ジョブに関する情報の一つとして該印刷ジョブの課金額に関する情報を出力する手段である請求項８または９記載の画像形成装置。
【請求項１１】
前記情報出力手段は、前記所持者の依頼に係る印刷ジョブに関する情報を画面表示出力する手段である請求項１ないし１０いずれか記載の画像形成装置。
【請求項１２】
前記情報出力手段は、前記所持者の依頼に係る印刷ジョブに関する情報を音声出力する手段である請求項１ないし１１いずれか記載の画像形成装置。
【請求項１３】
前記情報送受信機器は、非接触式ＩＣカード，携帯電話機のいずれかの機器である請求項１ないし１２いずれか記載の画像形成装置。
【請求項１４】
受け付けた印刷ジョブを実行して紙などの媒体に画像を形成する画像形成方法であって、
（ａ）受け付けた印刷ジョブに関する情報として少なくとも該印刷ジョブの依頼者に関する情報を含む情報を記憶し、
（ｂ）所定のエリアに所定の周波数帯の電磁波を送信し、
（ｃ）前記所定の周波数帯の電磁波の送受信による情報のやり取りが可能であり前記所定のエリアに存在する情報送受信機器から前記ステップ（ｂ）により送信された電磁波の受信に伴なって送信される該情報送受信機器の所持者に関する情報を受信し、
（ｄ）該ステップ（ｃ）により前記情報送受信機器の所持者に関する情報を受信したときに、該受信した所持者に関する情報と前記ステップ（ａ）により記憶された情報とに基づいて該所持者の依頼に係る印刷ジョブに関する情報を出力する、
画像形成方法。
【発明の詳細な説明】
【０００１】
【発明の属する技術分野】
本発明は、画像形成装置および画像形成方法に関し、詳しくは、受け付けた印刷ジョブを実行して紙などの媒体に画像を形成する画像形成装置およびこうした画像形成方法に関する。
【０００２】
【従来の技術】
従来、この種の画像形成装置としては、クライアントコンピュータなどから送信される印刷ジョブを実行して印刷するレーザプリンタなどが提案されている。このプリンタでは、プリンタ本体のステータスを操作パネル上に表示したり、送信された印刷ジョブのステータスをクライアントコンピュータの画面上に表示したりしている（例えば、特許文献１参照）。
【０００３】
【特許文献１】
特開平８−１９４５８８号公報
【０００４】
【発明が解決しようとする課題】
しかしながら、こうしたプリンタでは、プリンタに送信した印刷ジョブのステータスを確認するにはクライアントコンピュータの画面上で専用の管理プログラムなどを起動しなければならず手間が掛かるため、ユーザは印刷ジョブのステータスを確認しないままプリンタまで出向いてしまうことがある。そして、出力されている印刷物の中から自分の印刷物を探したり、操作パネルなどを操作してプリンタ本体のステータスを確認したり、自分の印刷ジョブの印刷物が出力されるまでプリンタの前で待機したりしている。これでは、ユーザに煩わしさを感じさせてしまうと共に時間の浪費となってしまう。
【０００５】
本発明の画像形成装置および画像形成方法は、特別な操作なしにユーザに印刷ジョブに関する情報を通知することを目的の一つとする。また、本発明の画像形成装置および画像形成方法は、ユーザが自分の印刷物を効率的に見つけられるようにすることを目的の一つとする。
【０００６】
【課題を解決するための手段およびその作用・効果】
本発明の画像形成装置および画像形成方法は、上述の目的の少なくとも一部を達成するために以下の手段を採った。
【０００７】
本発明の画像形成装置は、
受け付けた印刷ジョブを実行して紙などの媒体に画像を形成する画像形成装置であって、
受け付けた印刷ジョブに関する情報として少なくとも該印刷ジョブの依頼者に関する情報を含む情報を記憶するジョブ情報記憶手段と、
所定のエリアに所定の周波数帯の電磁波を送信する電磁波送信手段と、
前記所定の周波数帯の電磁波の送受信による情報のやり取りが可能であり前記所定のエリアに存在する情報送受信機器から前記電磁波送信手段により送信された電磁波の受信に伴なって送信される該情報送受信機器の所持者に関する情報を受信する情報受信手段と、
該情報受信手段により前記情報送受信機器の所持者に関する情報を受信したときに、該受信した所持者に関する情報と前記ジョブ情報記憶手段により記憶された情報とに基づいて該所持者の依頼に係る印刷ジョブに関する情報を出力する情報出力手段と、
を備えることを要旨とする。
【０００８】
この本発明の画像形成装置では、所定のエリアに対して所定の周波数帯の電磁波を送信すると共にその所定のエリアに存在する情報送受信機器から送信される情報送受信機器の所持者に関する情報を受信し、受信した所持者に関する情報と印刷ジョブの依頼者に関する情報などに基づいて情報送受信機器の所持者が依頼した印刷ジョブに関する情報を出力する。したがって、情報送受信機器の所持者が所定のエリア内に移動したときに、その所持者が依頼した印刷ジョブに関する情報を出力することができる。この結果、ユーザによる特別な操作なしに印刷ジョブに関する情報を通知することができる。なお「情報送受信機器」には、非接触式ＩＣカードや携帯電話機などが含まれる。
【０００９】
こうした本発明の画像形成装置において、前記情報出力手段は、前記ジョブ情報記憶手段により記憶された情報の中から前記情報送受信機器の所持者を依頼者とする印刷ジョブに関する情報を判別し、該判別された印刷ジョブに関する情報に基づいて該所持者の依頼に係る印刷ジョブに関する情報を出力する手段であるものとすることもできる。こうすれば、ジョブ情報記憶手段により記憶された情報のうち情報送受信機器の所持者が依頼者となっている印刷ジョブに関する情報に基づいてその所持者が依頼した印刷ジョブに関する情報を出力することができる。
【００１０】
また、本発明の画像形成装置において、前記情報出力手段は、前記所持者の依頼に係る印刷ジョブに関する情報の一つとして該印刷ジョブのステータスを出力する手段であるものとすることもできる。こうすれば、印刷ジョブのステータスをユーザに通知することができる。ここで「印刷ジョブのステータス」には、「待機中」や「実行中」，「実行完了」などを挙げることができる。
【００１１】
さらに、本発明の画像形成装置において、前記情報出力手段は、前記所持者の依頼に係る印刷ジョブのうち待機中または実行中の印刷ジョブに関する情報を出力する手段であるものとすることもできる。この態様の本発明の画像形成装置において、前記情報出力手段は、前記所持者の依頼に係る印刷ジョブに関する情報の一つとして該印刷ジョブの実行が完了する実行完了予定時間を出力する手段であるものとしたり、前記所持者の依頼に係る印刷ジョブに関する情報の一つとして該印刷ジョブより先に実行予定の先行印刷ジョブに関する情報を出力する手段であるものとすることもできる。こうすれば、情報送受信機器の所持者が依頼した印刷ジョブに関する情報として、その印刷ジョブの実行完了予定時間やその印刷ジョブより先に実行予定の印刷ジョブに関する情報などを出力することができる。なお「先行印刷ジョブに関する情報」には、前記先行印刷ジョブのジョブ数，前記先行印刷ジョブのページ数，前記先行印刷ジョブの依頼者に関する情報などが含まれる。
【００１２】
こうした本発明の画像形成装置において、前記情報出力手段は、前記所持者の依頼に係る印刷ジョブのうち実行が完了すると共に完了してからの経過時間が所定時間以内である印刷ジョブに関する情報を出力する手段であるものとすることもできる。この態様の本発明の画像形成装置において、前記情報出力手段は、前記所持者の依頼に係る印刷ジョブに関する情報の一つとして該印刷ジョブの排紙先に関する情報を出力する手段であるものとしたり、前記所持者の依頼に係る印刷ジョブに関する情報の一つとして該印刷ジョブの課金額に関する情報を出力する手段であるものとすることもできる。こうすれば、情報送受信機器の所持者が依頼した印刷ジョブに関する情報として、その印刷ジョブの排紙先に関する情報やその印刷ジョブの課金額に関する情報などを出力することができる。
【００１３】
また、本発明の画像形成装置において、前記情報出力手段は、前記所持者の依頼に係る印刷ジョブに関する情報を画面表示出力する手段であるものとしたり、前記所持者の依頼に係る印刷ジョブに関する情報を音声出力する手段であるものとすることもできる。こうすれば、情報送受信機器の所持者が依頼した印刷ジョブに関する情報を画面表示出力したり音声出力したりすることができる。
【００１４】
本発明の画像形成方法は、
受け付けた印刷ジョブを実行して紙などの媒体に画像を形成する画像形成方法であって、
（ａ）受け付けた印刷ジョブに関する情報として少なくとも該印刷ジョブの依頼者に関する情報を含む情報を記憶し、
（ｂ）所定のエリアに所定の周波数帯の電磁波を送信し、
（ｃ）前記所定の周波数帯の電磁波の送受信による情報のやり取りが可能であり前記所定のエリアに存在する情報送受信機器から前記ステップ（ｂ）により送信された電磁波の受信に伴なって送信される該情報送受信機器の所持者に関する情報を受信し、
（ｄ）該ステップ（ｃ）により前記情報送受信機器の所持者に関する情報を受信したときに、該受信した所持者に関する情報と前記ステップ（ａ）により記憶された情報とに基づいて該所持者の依頼に係る印刷ジョブに関する情報を出力する、
ことを要旨とする。
【００１５】
この本発明の画像形成方法では、所定のエリアに対して所定の周波数帯の電磁波を送信すると共にその所定のエリアに存在する情報送受信機器から送信される情報送受信機器の所持者に関する情報を受信し、受信した所持者に関する情報と印刷ジョブの依頼者に関する情報などに基づいて情報送受信機器の所持者が依頼した印刷ジョブに関する情報を出力する。したがって、情報送受信機器の所持者が所定のエリア内に移動したときに、その所持者が依頼した印刷ジョブに関する情報を出力することができる。この結果、ユーザによる特別な操作なしに印刷ジョブに関する情報を通知することができる。なお「情報送受信機器」には、非接触式ＩＣカードや携帯電話機などが含まれる。
【００１６】
【発明の実施の形態】
次に、本発明の実施の形態を実施例を用いて説明する。図１は本発明の一実施例であるカラーレーザプリンタ２０の構成の概略を示す構成図であり、図２はカラーレーザプリンタ２０と情報送受信機器としての非接触式ＩＣカード７０との間の電磁波の送受信に関係する部位の構成の概略を示す構成図であり、図３はカラーレーザプリンタ２０のコントローラ４０における制御信号の入出力を示すブロック図である。実施例のカラーレーザプリンタ２０は、単一感光体方式と中間転写方式とを採用したフルカラーの電子写真方式の画像形成装置として構成されており、図１に示すように、シアン（Ｃ）、マゼンタ（Ｍ）、イエロー（Ｙ）、ブラック（Ｋ）などの色毎に分解された画像を帯電された感光体２１上にレーザを照射して静電潜像として形成する露光器２２と、装着された各色のトナーカートリッジ２３Ｃ，２３Ｍ，２３Ｙ，２３Ｋから供給される各色のトナーを用いて感光体２１上に形成された静電潜像をトナー像として現像する現像器２４と、感光体２１上に現像された各色のトナー像を転写ベルト２５に重ねて転写してカラートナー像を形成する一次転写ユニット２６と、用紙カセット２７から用紙を搬送する搬送ユニット２８と、搬送された用紙に転写ベルト２５に形成されたカラートナー像を転写する二次転写ユニット２９と、用紙上に転写されたカラートナー像を用紙に融着定着させる定着ユニット３０と、カラートナー像が定着された用紙を複数の排紙トレイから選択したトレイに排紙する排紙ユニット３６と、メッセージなどを液晶ディスプレイなどの画面上に表示出力すると共に内蔵されたスピーカにより音声出力する操作パネル３１と、所定の周波数帯の電磁波を送受信可能な送受信ユニット３２と、こうしたカラーレーザプリンタ２０全体の動作を制御するコントローラ４０とを備える。
【００１７】
カラーレーザプリンタ２０の送受信ユニット３２は、図２に示すように、アンテナ３３や送受信部３４により所定の周波数帯（例えば、１３．５６ＭＨｚ帯や２．４ＧＨｚ帯など）の電磁波を用いて信号を送受信する送受信機として構成されており、情報を送信させるために設定された信号を乗せた電磁波（以下、情報取得用電磁波という）を繰り返し送信する。非接触式ＩＣカード７０は、図２に示すように、前述した所定の周波数帯の電磁波を用いて信号を送受信するアンテナ７２と、受信した電磁波を整流して電磁波のエネルギを電力として供給する整流器７６と、受信した信号を解析する信号解析部ＲＦ（Ｒａｄｉｏ  Ｆｒｅｑｕｅｎｃｙ）７４と、個人を識別する個人ＩＤなどの情報を記憶するメモリセル７９と、アンテナ７２で受信し信号解析部ＲＦ７４で解析された信号に基づいてメモリセル７９に記憶された情報を信号解析部ＲＦ７４を介してアンテナ７２から送信する制御部７８とを備える。したがって、非接触式ＩＣカード７０は、カラーレーザプリンタ２０の送受信ユニット３２との間で電磁波の送受信が可能となる所定距離（例えば、７０ｃｍ）以内に存在するときに（即ち、非接触式ＩＣカード７０を所持するユーザが送受信ユニット３２から所定距離以内に移動したときに）、送受信ユニット３２から繰り返し送信される情報取得用電磁波をアンテナ７２により受信してメモリセル７９に記憶された個人ＩＤなどの情報を信号解析部ＲＦ７４を介してアンテナ７２から送信する。なお、個人ＩＤとは、非接触式ＩＣカード７０の所持者を識別するＩＤであり、専用の書き込み装置などを用いて予めメモリセル７９に書き込まれている情報である。
【００１８】
カラーレーザプリンタ２０のコントローラ４０は、図３に示すように、ＣＰＵ５０やＲＡＭ５１，ＲＯＭ５２を中心としたマイクロプロセッサとして構成されており、ＲＡＭ５１には、受け付けた印刷ジョブに関する情報を記憶する印刷ジョブ記憶領域６１が設けられている。また、コントローラ４０は、各種センサ（例えば、温度センサなど）による検出値やその他の入力信号（例えば、操作者によるプリント指示信号など）が信号ラインを介して入力されるように構成されており、これらの入力信号に基づいて露光器駆動制御部５３や現像器駆動制御部５４，一次転写ユニット駆動制御部５５，二次転写ユニット駆動制御部５６，定着ユニット駆動制御部５７，搬送ユニット駆動制御部５８，排紙ユニット駆動制御部６２，操作パネル制御部５９，送受信ユニット制御部６０などを介して露光器２２や現像器２４，一次転写ユニット２６，二次転写ユニット２９，定着ユニット３０，搬送ユニット２８，排紙ユニット３６，操作パネル３１，送受信ユニット３２などのカラーレーザプリンタ２０の各部の動作を制御する。
【００１９】
図４は、コントローラ４０のＲＡＭ５１に設けられた印刷ジョブ記憶領域６１で管理される情報の一例を示す説明図である。印刷ジョブ記憶領域６１には、図示するように、印刷ジョブのＩＤ（ジョブＩＤ）やその印刷ジョブを依頼した依頼者のＩＤ（依頼者ＩＤ），印刷ジョブのステータス，印刷ジョブのページ数，印刷ジョブを受け付けた受付時刻，印刷ジョブの実行を完了した実行完了時刻，印刷ジョブの排紙先トレイ（メールビン）などの情報が記憶されるように構成されている。これらの情報は、印刷ジョブを受け付けたときなどに書き込まれ、印刷ジョブの実行が完了してから所定時間（例えば、３０分など）を経過した後に消去される。なお、依頼者ＩＤとは、クライアントコンピュータなどにより印刷ジョブを送信する際に付加される情報であり、前述した非接触式ＩＣカード７０のメモリセル７９に記憶された個人ＩＤと同一のコード体系を用いて管理されている情報である。
【００２０】
次に、こうして構成された実施例のカラーレーザプリンタ２０の動作、特に、操作パネル３１を介した情報の出力に関する処理について説明する。図５は、実施例のカラーレーザプリンタ２０のコントローラ４０により実行される情報出力処理の一例を示すフローチャートである。この情報出力処理は、図示するように、非接触式ＩＣカード７０から送信された電磁波を送受信ユニット３２により受信したときに実行される（ステップＳ１００）。この非接触式ＩＣカード７０から送信される電磁波は、前述したように、非接触式ＩＣカード７０を所持するユーザが送受信ユニット３２から所定距離以内に移動したときなどに情報取得用電磁波の受信に伴って送信され、メモリセル７９に記憶された個人ＩＤなどの情報が乗せられた電磁波である。
【００２１】
非接触式ＩＣカード７０から個人ＩＤなどの情報が乗せられた電磁波を受信すると、コントローラ４０のＲＡＭ５１に設けられた印刷ジョブ記憶領域６１に記憶された印刷ジョブに関する情報の中に受信した個人ＩＤを依頼者ＩＤとする印刷ジョブが含まれているか否かを判定し（ステップＳ１１０）、該当する印刷ジョブに関する情報が記憶されていない場合には後続の処理をスキップして情報出力処理を終了する。
【００２２】
一方、受信した個人ＩＤを依頼者ＩＤとする印刷ジョブに関する情報が記憶されている場合には、該当する印刷ジョブが非接触式ＩＣカード７０を所持するユーザの印刷ジョブであると判断して、該当する印刷ジョブやこの印刷ジョブより先に実行予定の先行印刷ジョブに関する情報を印刷ジョブ記憶領域６１から取得する（ステップＳ１２０）。そして、この該当する印刷ジョブの実行が完了していない場合には、実行が完了するまでに要する実行完了予定時間の見積もりを行なう（ステップＳ１３０）。実施例では、印刷ジョブのページ数などに基づいて印刷ジョブの実行に要する実行時間を見積もる見積もり式を予め設定しておき、この見積もり式を用いて先行印刷ジョブや該当する印刷ジョブの実行時間を算出すると共に算出された各印刷ジョブの実行時間を合算して、該当する印刷ジョブの実行完了予定時間とするものとした。
【００２３】
そして、ステップＳ１２０で印刷ジョブ記憶領域６１から取得した情報やステップＳ１３０で見積もった実行完了予定時間などの情報をユーザ通知情報として操作パネル３１の画面上に表示出力すると共に内蔵するスピーカにより音声出力し（ステップＳ１４０）、情報出力処理を終了する。図６（ａ），（ｂ）は、操作パネル３１の画面上に表示出力するユーザ通知情報の一例を示す説明図である。図６（ａ）の例では、実行が完了した印刷ジョブに関するユーザ通知情報として「ジョブＪＯＢ００１は、１５：０３にメールビン▲１▼に印刷されました。」というメッセージが表示出力されている。この情報は、印刷ジョブ記憶領域６１に記憶されている実行完了時刻や排紙先（メールビン）などの情報に基づいて表示出力される。図６（ｂ）の例では、待機中の印刷ジョブに関するユーザ通知情報として「ジョブＪＯＢ１０２は、約３分後に完了予定です。」というメッセージや先行印刷ジョブに関する情報（ジョブＩＤや依頼者ＩＤ，ページ数など）が表示出力されている。これらの情報は、ステップＳ１３０で見積もった実行完了予定時間や印刷ジョブ記憶領域６１に記憶されているジョブＩＤや依頼者ＩＤ，ページ数などの情報に基づいて表示出力される。
【００２４】
以上説明した実施例のカラーレーザプリンタ２０によれば、非接触式ＩＣカード７０を所持するユーザが送受信ユニット３２から所定距離以内に移動したときなどに個人ＩＤなどの情報を乗せた電磁波を受信し、受信した個人ＩＤを依頼者ＩＤとする印刷ジョブに関する情報をコントローラ４０のＲＡＭ５１に設けられた印刷ジョブ記憶領域６１から取得すると共に実行が完了していない印刷ジョブの実行完了予定時間を見積もり、これらの情報をユーザ通知情報として操作パネル３１を介して出力することができる。したがって、ユーザがカラーレーザプリンタ２０から所定距離以内に近づくだけで、ユーザに印刷ジョブに関する情報を通知することができる。即ち、特別な操作なしにユーザに印刷ジョブに関する情報を通知することができる。さらに、ユーザ通知情報を操作パネル３１の画面上に表示出力すると共に内蔵されたスピーカにより音声出力するから、より確実に印刷ジョブに関する情報を通知することができる。
【００２５】
ここで、実施例のカラーレーザプリンタ２０では、ＲＡＭ５１に設けられた印刷ジョブ記憶領域６１がジョブ情報記憶手段に相当し、送受信ユニット３２が電磁波送信手段に相当し、送受信ユニット３２およびステップＳ１００の処理を実行するコントローラ４０が情報受信手段に相当し、ステップＳ１１０〜Ｓ１４０の処理を実行するコントローラ４０が情報出力手段に相当する。
【００２６】
実施例のカラーレーザプリンタ２０では、非接触式ＩＣカード７０から受信した個人ＩＤを依頼者ＩＤとする印刷ジョブを非接触式ＩＣカード７０を所持するユーザの印刷ジョブであると判断するものとしたが、非接触式ＩＣカード７０を所持するユーザの印刷ジョブを判断することができれば、その他の方法で判断するものとしてもよい。例えば、排紙ユニット３６の各排紙トレイ（メールビン）に予め個人ＩＤを割り当てておくものとし、印刷ジョブに設定された排紙先トレイに割り当てられた個人ＩＤと受信した個人ＩＤとに基づいて非接触式ＩＣカード７０を所持するユーザの印刷ジョブを判断するものとしてもよい。また、個人ＩＤや依頼者ＩＤを付与する単位は、グループや部署などの単位としても差し支えないのは勿論である。
【００２７】
実施例のカラーレーザプリンタ２０では、出力するユーザ通知情報として、実行完了時刻や排紙先トレイ（メールビン），実行完了予定時間，先行印刷ジョブに関する情報（ジョブＩＤや依頼者ＩＤ，ページ数）などの情報を例示したが、これらの情報に限られないのは勿論であり、印刷ジョブに関する種々の情報を種々の組み合わせで出力するものとしても構わない。例えば、先行印刷ジョブに関する情報として先行印刷ジョブのジョブ数のみを出力するものとしたり、印刷ジョブの実行に対して発生する課金額を算出して出力するものとしてもよい。
【００２８】
実施例のカラーレーザプリンタ２０では、印刷ジョブ記憶領域６１に記憶する印刷ジョブに関する情報は印刷ジョブの実行が完了してから所定時間を経過した後に消去するものとしたが、その他の基準で消去するものとしてもよく、例えば、印刷ジョブ記憶領域６１の使用領域が所定のデータサイズに達したときに所定のルール（例えば、受付時刻が早い順など）に従って情報を消去するものとしてもよい。こうすれば、実行が完了した印刷ジョブについての情報出力処理の対象とする印刷ジョブの範囲を異なる基準とすることができる。また、情報出力処理の対象とする印刷ジョブの範囲を情報出力処理の中で選別するものとしても構わない。即ち、実行完了時間から所定時間経過した印刷ジョブを対象から除外する処理などを情報出力処理の中で行うものとしても構わない。
【００２９】
実施例のカラーレーザプリンタ２０では、ユーザ通知情報を操作パネル３１の画面上に表示出力すると共に内蔵するスピーカにより音声出力するものとしたが、ユーザ通知情報を出力する態様は問わない。例えば、操作パネル３１の画面上に表示出力するのみであっても構わないし、スピーカによる音声出力のみであっても差し支えない。
【００３０】
実施例のカラーレーザプリンタ２０では、情報送受信機器として非接触式ＩＣカード７０を例示したが、情報取得用電磁波を受信して個人ＩＤなどの情報を送信可能な機器であればその他の機器であってもよく、例えば、携帯電話機であってもよい。
【００３１】
実施例のカラーレーザプリンタ２０は、単一感光体方式と中間転写方式とを採用したフルカラーの電子写真方式の画像形成装置として構成されたものとしたが、複数感光体方式や直接転写方式のフルカラーの電子写真方式の画像形成装置として構成されたカラーレーザプリンタや複写機，あるいはモノクロームの電子写真方式の画像形成装置として構成されたレーザプリンタや複写機、インクジェットプリンタなどとしても構わない。また、画像形成方法の形態とするものとしても差し支えない。
【００３２】
以上、本発明の実施の形態について実施例を用いて説明したが、本発明はこうした実施例に何等限定されるものではなく、本発明の要旨を逸脱しない範囲内において、種々なる形態で実施し得ることは勿論である。
【図面の簡単な説明】
【図１】カラーレーザプリンタ２０の構成の概略を示す構成図。
【図２】送受信ユニット３２と非接触式ＩＣカード７０の構成図。
【図３】コントローラ４０における制御信号の入出力を示すブロック図。
【図４】印刷ジョブ記憶領域の管理情報の一例を示す説明図。
【図５】情報出力処理の一例を示すフローチャート。
【図６】操作パネル３１に表示するユーザ通知情報の一例を示す説明図。
【符号の説明】
２０  カラーレーザプリンタ、２１  感光体、２２  露光器、２３Ｃ，２３Ｍ，２３Ｙ，２３Ｋ  トナーカートリッジ、２４  現像器、２５  転写ベルト、２６  一次転写ユニット、２７  用紙カセット、２８  搬送ユニット、２９  二次転写ユニット、３０  転写ユニット、３１  操作パネル、３２  送受信ユニット、３３  アンテナ、３４  送受信部、３６  排紙ユニット、４０  コントローラ、５０  ＣＰＵ、５１  ＲＡＭ、５２  ＲＯＭ、５３  露光器駆動制御部、５４現像器駆動制御部、５５  一次転写ユニット駆動制御部、５６  二次転写ユニット駆動制御部、５７  定着ユニット駆動制御部、５８  搬送ユニット駆動制御部、５９  操作パネル制御部、６０  送受信ユニット制御部、６１  印刷ジョブ記憶領域、６２  排紙ユニット駆動制御部、７０  非接触式ＩＣカード、７２  アンテナ、７４  信号解析部ＲＦ、７６  整流器、７８  制御部、７９  メモリセル。
【図１】
2004351885.tif 000003
【図２】
2004351885.tif 000004
【図３】
2004351885.tif 000005
【図４】
2004351885.tif 000006
【図５】
2004351885.tif 000007
【図６】
2004351885.tif 000008